【手続補正書】
【提出日】平成30年10月1日(2018.10.1)
【手続補正１】
【補正対象書類名】明細書
【補正対象項目名】発明の名称
【補正方法】変更
【補正の内容】
【発明の名称】携帯端末及びその制御方法
【手続補正２】
【補正対象書類名】明細書
【補正対象項目名】０００１
【補正方法】変更
【補正の内容】
【０００１】
本発明は、携帯端末及びその制御方法に関し、特に、近距離無線通信によって無線接続を行う携帯端末及びその制御方法に関する。
【手続補正３】
【補正対象書類名】明細書
【補正対象項目名】０００６
【補正方法】変更
【補正の内容】
【０００６】
本発明の目的は、ログイン処理におけるユーザの手間を軽減することができる携帯端末及びその制御方法を提供することにある。
【手続補正４】
【補正対象書類名】明細書
【補正対象項目名】０００７
【補正方法】変更
【補正の内容】
【０００７】
上記目的を達成するために、本発明の携帯端末は、画像形成装置にユーザをログインさせるために前記画像形成装置にユーザ情報を送信する送信手段を備える携帯端末であって、前記画像形成装置が送信するビーコン信号を受信する受信手段と、前記受信手段によって受信された所定の電波強度以上の複数のビーコン信号それぞれの受信電波強度に基づいて、前記画像形成装置にユーザをログインさせるために前記画像形成装置にユーザ情報を送信するか否かを判定する判定手段と、を有することを特徴とする。
【手続補正５】
【補正対象書類名】特許請求の範囲
【補正対象項目名】全文
【補正方法】変更
【補正の内容】
【特許請求の範囲】
【請求項１】
画像形成装置にユーザをログインさせるために前記画像形成装置にユーザ情報を送信する送信手段を備える携帯端末であって、
前記画像形成装置が送信するビーコン信号を受信する受信手段と、
前記受信手段によって受信された所定の電波強度以上の複数のビーコン信号それぞれの受信電波強度に基づいて、前記画像形成装置にユーザをログインさせるために前記画像形成装置にユーザ情報を送信するか否かを判定する判定手段と、
を有することを特徴とする携帯端末。
【請求項２】
前記判定手段は、前記受信手段によって受信された所定の電波強度以上の複数のビーコン信号それぞれの受信電波強度から求まる差分情報に基づいて、前記画像形成装置にユーザをログインさせるために前記画像形成装置にユーザ情報を送信するか否かを判定することを特徴とする請求項１に記載の携帯端末。
【請求項３】
前記判定手段は、
前記受信手段によって受信したビーコン信号の受信電波強度が前記所定の電波強度以上であるか否かを判定する第１の判定手段と、
前記受信電波強度が前記所定の電波強度以上であると前記第１の判定手段によって判定された後に、前記受信手段が受信した第１のビーコン信号の受信電波強度と、当該第１のビーコン信号の後に前記受信手段が受信した第２のビーコン信号の受信電波強度との差分が所定の条件を満たしているか否かを判定する第２の判定手段とを備えることを特徴とする請求項２記載の携帯端末。
【請求項４】
前記第２の判定手段は、前記第２のビーコン信号の受信電波強度から前記第１のビーコン信号の受信電波強度を減算した値が所定値以上である場合に、前記差分が前記所定の条件を満たしていると判定することを特徴とする請求項３記載の携帯端末。
【請求項５】
前記差分は、前記携帯端末と前記画像形成装置との間の距離の変化に対応することを特徴とする請求項３又は４記載の携帯端末。
【請求項６】
前記第２のビーコン信号は、前記第１のビーコン信号を受信してから所定時間経過後に前記受信手段が受信したビーコン信号であることを特徴とする請求項３乃至５のいずれか１項に記載の携帯端末。
【請求項７】
前記判定手段は、前記画像形成装置にユーザをログインさせた後に、前記ビーコン信号の受信電波強度が、前記画像形成装置からユーザをログアウトさせるログアウト条件を満たしているか否かを判定する第３の判定手段を更に備え、
前記ログアウト条件を満たしていると前記第３の判定手段によって判定された場合に、前記送信手段は、ログアウトの要求を前記画像形成装置に送信することを特徴とする請求項３乃至６のいずれか１項に記載の携帯端末。
【請求項８】
前記受信手段が前記画像形成装置から受信する前記ビーコン信号は、ＢＬＥ（Ｂｌｕｅｔｏｏｔｈ  Ｌｏｗ  Ｅｎｅｒｇｙ）通信に基づくものであることを特徴とする請求項１乃至７のいずれか１項に記載の携帯端末。
【請求項９】
画像形成装置にユーザをログインさせるために前記画像形成装置にユーザ情報を送信する送信手段を備える携帯端末の制御方法であって、
前記画像形成装置が送信するビーコン信号を受信する受信ステップと、
前記受信ステップで受信した所定の電波強度以上の複数のビーコン信号それぞれの受信電波強度に基づいて、前記画像形成装置にユーザをログインさせるために前記画像形成装置にユーザ情報を送信するか否かを判定する判定ステップと、
を有することを特徴とする携帯端末の制御方法。
【請求項１０】
前記判定ステップは、前記受信ステップで受信した所定の電波強度以上の複数のビーコン信号それぞれの受信電波強度から求まる差分情報に基づいて、前記画像形成装置にユーザをログインさせるために前記画像形成装置にユーザ情報を送信するか否かを判定することを特徴とする請求項９に記載の携帯端末の制御方法。
【請求項１１】
前記判定ステップは、
前記受信ステップで受信したビーコン信号の受信電波強度が前記所定の電波強度以上であるか否かを判定する第１の判定ステップと、
前記受信電波強度が前記所定の電波強度以上であると前記第１の判定ステップで判定された後に、前記受信ステップで受信した第１のビーコン信号の受信電波強度と、当該第１のビーコン信号の後に前記受信ステップで受信した第２のビーコン信号の受信電波強度との差分が所定の条件を満たしているか否かを判定する第２の判定ステップとを有することを特徴とする請求項１０に記載の携帯端末の制御方法。
【請求項１２】
前記第２の判定ステップは、前記第２のビーコン信号の受信電波強度から前記第１のビーコン信号の受信電波強度を減算した値が所定値以上である場合に、前記差分が前記所定の条件を満たしていると判定することを特徴とする請求項１１に記載の携帯端末の制御方法。
【請求項１３】
前記差分は、前記携帯端末と前記画像形成装置との間の距離の変化に対応することを特徴とする請求項１１又は１２記載の携帯端末の制御方法。
【請求項１４】
前記第２のビーコン信号は、前記第１のビーコン信号を受信してから所定時間経過後に前記受信ステップで受信したビーコン信号であることを特徴とする請求項１１乃至１３のいずれか１項に記載の携帯端末の制御方法。
【請求項１５】
前記判定ステップは、前記画像形成装置にユーザをログインさせた後に、前記ビーコン信号の受信電波強度が、前記画像形成装置からユーザをログアウトさせるログアウト条件を満たしているか否かを判定する第３の判定ステップを更に有し、
前記ログアウト条件を満たしていると前記第３の判定ステップで判定された場合に、前記送信手段は、ログアウトの要求を前記画像形成装置に送信することを特徴とする請求項１１乃至１４のいずれか１項に記載の携帯端末の制御方法。
【請求項１６】
前記受信ステップで前記画像形成装置から受信する前記ビーコン信号は、ＢＬＥ（Ｂｌｕｅｔｏｏｔｈ  Ｌｏｗ  Ｅｎｅｒｇｙ）通信に基づくものであることを特徴とする請求項９乃至１５のいずれか１項に記載の携帯端末の制御方法。